(57)【要約】【課題】  大掛かりな設備を要せずに、容易にかつ確実に活性炭の湿潤を防止可能な脱臭装置を提供する。【解決手段】  臭気ガスから臭気成分を除去するための脱臭装置Ａであって、外郭体１に、供給された臭気ガスの臭気成分を吸着除去する活性炭カートリッジ２を収容して、外郭体１の天板部１ａと外郭体１に収容された活性炭カートリッジ２との間に、天板部１ａの内面に生じた結露の水滴が活性炭カートリッジ２に落下することを防止するための屋根部材３を設ける。【選択図】  図２
2007111624.tif 000002
【特許請求の範囲】
【請求項１】
臭気ガスから臭気成分を除去するための脱臭装置であって、
外郭体に、供給された前記臭気ガスの前記臭気成分を吸着除去する活性炭カートリッジが収容されているとともに、前記外郭体の天板部と該外郭体に収容された前記活性炭カートリッジとの間に、屋根部材が設けられていることを特徴とする脱臭装置。
【請求項２】
請求項１に記載の脱臭装置において、
前記屋根部材が前記活性炭カートリッジに支持されていることを特徴とする脱臭装置。
【請求項３】
請求項１に記載の脱臭装置において、
前記屋根部材が前記天板部に支持されていることを特徴とする脱臭装置。
【請求項４】
請求項１から請求項３のいずれかに記載の脱臭装置において、
前記外郭体には、複数の前記活性炭カートリッジが隣接して収容され、これら複数の前記活性炭カートリッジにそれぞれ対応して設けられた複数の前記屋根部材は、隣り合う前記屋根部材が高さ方向の異なる位置に設置されていることを特徴とする脱臭装置。
【請求項５】
請求項４に記載の脱臭装置において、
複数の前記屋根部材は、隣り合う前記屋根部材の端部同士が前記屋根部材の上面側からの対向視で重なるように設けられていることを特徴とする脱臭装置。
【発明の詳細な説明】
【技術分野】
【０００１】
本発明は、臭気ガスから臭気成分を除去するための脱臭装置に関する。
【背景技術】
【０００２】
従来、例えば下水処理施設などで用いられ、臭気ガスから臭気成分を除去する脱臭装置には、下方の室と上方の室の２室を備えるように形成された外郭体の内部に、単数または複数の活性炭カートリッジを収容したものがある。この種の脱臭装置の活性炭カートリッジは、筒状の容器内に例えば粒状活性炭（活性炭）が収納され、上端側が開口状態とされている一方で、下端側が格子または多孔板等の底材によって塞がれ、収納した活性炭を容器内に保持しつつ、容器内に臭気ガスを流通させて活性炭と臭気ガスとを接触させることが可能とされている。そして、このように構成された活性炭カートリッジは、下端側を下方の室に向けて設置され、下方の室と上方の室とをこの活性炭カートリッジを介して連通するように設けられている。このように構成された脱臭装置においては、下方の室に導入した臭気ガスが、活性炭カートリッジの下端側から流通され、この活性炭カートリッジで臭気成分が吸着除去された処理ガスを上端側から上方の室内に排気し、さらにこの処理ガスを上方の室から外郭体の外部に排気することが可能とされている。
【０００３】
一方、この種の脱臭装置では、例えば脱臭装置自体が冬季や夜間などに急速に冷却されるような場合に、外郭体の内面に、外気と脱臭装置内の温度差によって結露が発生する場合がある。この点、外郭体の例えば側面に生じた結露は、側面を伝って流下し、例えば外郭体の上方の室の下部に設けられたドレン口から外部に排出されることとなるが、天板部の内面に生じた結露は、水滴として下方の活性炭カートリッジに落下し、活性炭を湿潤させてしまうという問題があった。すなわち、水滴によって活性炭が湿潤した場合には、活性炭の表面が水で覆われて、細孔が水分により閉塞されることにより吸着能力が低下し、臭気成分を吸着除去することができなくなるという問題があった。
【０００４】
例えば硫化水素などの水溶性の臭気ガスにおいては、活性炭に付着した水に溶解することで、結果として臭気成分を除去することが可能な場合がある一方で、特に、例えばメルカプタンなどの不溶性あるいは難溶性の臭気ガスに対しては、活性炭が湿潤した場合に全くその臭気成分を除去できなくなってしまうという問題があった。
【０００５】
これに対して、例えば特許文献１に開示された脱臭装置では、活性炭吸着塔（外郭体）の天井板（天板部）の上に保温手段を設けて、特に天井板の内面に結露が発生することを防止するようにしている。すなわち、天井板の外面側に、保温材を設置し、かつ天井板と保温材との間にヒータを設けることにより、活性炭吸着塔内の温度を保持して結露の発生を防止し、活性炭が湿潤されることがないようにしている。
【０００６】
また、例えば特許文献２に開示された脱臭装置では、脱臭材（活性炭）を収容した容器を、タンク（外郭体）内に液体状または固体状の加温媒体で取り囲むように設置して、この加温媒体をヒータで加熱することにより、脱臭材に結露が生じ湿潤することを防止するようにしている。
【特許文献１】特開２００２−３０１３３１号公報
【特許文献２】特許第２７０９０３６号公報
【発明の開示】
【発明が解決しようとする課題】
【０００７】
しかしながら、上記の特許文献１に開示された脱臭装置においては、ヒータによって活性炭吸着塔内の温度を保持するため、ヒータ自体を設置するためのコストや保温のためのランニングコストが高くなり、しかも、活性炭吸着塔により臭気ガスの処理を行なわない停止状態にあっても、内部に結露が生じることを防止するために、ヒータによる保温を継続的に行なわなければならず、甚だ不経済であるという問題があった。また、一般に、内部の活性炭カートリッジを交換する際には、天井板を取り外し、この開口部分から活性炭カートリッジの出し入れを行っているが、特許文献１に開示された脱臭装置においては、保温材や電源設備と接続されるヒータが天井板に設置されることになるため、天井板を取り外して活性炭カートリッジを交換する際の作業性が悪化するという問題もあった。
【０００８】
一方、上記の特許文献２に開示された脱臭装置においても、タンク内に、容器に収納された脱臭材とともに加熱媒体を収容し、この加熱媒体を加熱するヒータを設ける構成とされているため、結露の発生を防止するためには、上記と同様、ヒータによる保温を継続的に行なわなければならず、甚だ不経済であるという問題があった。また、結露の発生を防止するために大掛かりな設備や高いランニングコストを要することになり、しかも脱臭材を交換するような場合に多大な労力を要するという問題があった。
【０００９】
本発明は、上記事情を鑑み、大掛かりな設備を要せずに、容易にかつ確実に活性炭の湿潤を防止可能な脱臭装置を提供することを目的とする。
【課題を解決するための手段】
【００１０】
上記の目的を達するために、この発明は以下の手段を提供している。
【００１１】
本発明の脱臭装置は、臭気ガスから臭気成分を除去するための脱臭装置であって、外郭体に、供給された前記臭気ガスの前記臭気成分を吸着除去する活性炭カートリッジが収容されているとともに、前記外郭体の天板部と該外郭体に収容された前記活性炭カートリッジとの間に、屋根部材が設けられていることを特徴とする。
【００１２】
ここで、本発明の脱臭装置において、前記屋根部材は、前記活性炭カートリッジに支持されて前記天板部との間に設けられていてもよく、また、前記天板部に支持されていてもよい。
【００１３】
また、本発明の脱臭装置において、前記外郭体には、複数の前記活性炭カートリッジが隣接して収容され、これら複数の前記活性炭カートリッジにそれぞれ対応して設けられた複数の前記屋根部材は、隣り合う前記屋根部材が高さ方向の異なる位置に設置されていることが望ましい。
【００１４】
さらに、本発明の脱臭装置において、複数の前記屋根部材は、隣り合う前記屋根部材の端部同士が前記屋根部材の上面側からの対向視で重なるように設けられていることがより望ましい。
【発明の効果】
【００１５】
本発明の脱臭装置によれば、外郭体の天板部と活性炭カートリッジの間に、屋根部材が設けられていることによって、天板部の内面に生じた結露が水滴として落下した場合においても、この水滴を屋根部材に落下させて、活性炭カートリッジに落下することを防止できる。これにより、活性炭カートリッジの活性炭が、結露に起因した水滴によって湿潤することを防止でき、活性炭の吸着能力が低下することを防止できる。よって、活性炭を好適な状態に保持して確実に臭気ガスから臭気成分を吸着除去することが可能になる。
【００１６】
また、本発明の脱臭装置において、屋根部材が活性炭カートリッジに支持されている場合には、寿命に達した活性炭カートリッジを新品の活性炭カートリッジに交換する際に、天板部を取り外し、外郭体から屋根部材とともに活性炭カートリッジを外部に取り出すことができるため、天板部と活性炭カートリッジの間に屋根部材が設けられていても、容易に活性炭カートリッジの交換を行なうことが可能とされる。
【００１７】
一方、本発明の脱臭装置において、屋根部材が天板部に支持されている場合でも、寿命に達した活性炭カートリッジを新品の活性炭カートリッジに交換する際に、天板部を取り除くのとともに屋根部材を取り除くことができるため、やはり天板部と活性炭カートリッジの間に屋根部材が設けられていても、容易に活性炭カートリッジを交換することが可能とされる。
【００１８】
また、本発明の脱臭装置において、複数の活性炭カートリッジにそれぞれ対応して設けられた複数の屋根部材が、隣り合う屋根部材の高さ方向の位置が異なるように設置されていることによって、隣り合う屋根部材の高さ方向にずれた隙間部分を通じて天板部と屋根部材との間に、活性炭カートリッジで処理した臭気ガス（処理ガス）を流通させることができ、外郭体内の空間にデッドスペースが形成されることを防止できる。すなわち、複数の屋根部材が高さ方向の位置を同一にして水平方向に一列に並設された場合には、複数の屋根部材によって、活性炭カートリッジ側の空間と天板部側の空間とが区分されてしまい、活性炭カートリッジから排気された処理ガスが、屋根部材よりも下方の活性炭カートリッジ側の空間のみを流通するような状態となり、屋根部材よりも上方の天板部側の空間がデッドスペース化され、外郭体の空間を有効に使用することができなくなってしまう。これに対して、本発明の脱臭装置においては、隣り合う屋根部材が高さ方向に異なる位置に設置されることにより、互いの屋根部材の高さ方向の隙間から屋根部材よりも上方の空間にも処理ガスを流通させることができ、外郭体の空間を有効に使用することが可能になる。これにより、天板部と活性炭カートリッジの間に屋根部材が設けられている場合においても、処理ガスの流通を阻害することがなく、また、屋根部材と天板部の間に処理ガスが流通することによって、天板部に発生した結露を蒸散させる効果をも得ることができ、処理ガスの流通を好適な状態としつつ、確実に活性炭が湿潤することを防止できる。
【００１９】
さらに、本発明の脱臭装置においては、高さ方向の異なる位置に設置された隣り合う屋根部材の端部同士が、上面側からの対向視で重なるように設けられていることによって、上方に位置する屋根部材に落下した水滴がこの屋根部材から下方に落下するような場合においても、下方の屋根部材に落下することになるため、確実に活性炭カートリッジに水滴が落下することを防止できる。
【発明を実施するための最良の形態】
【００２０】
以下、図１及び図２を参照し、本発明の第１実施形態に係る脱臭装置について説明する。本発明の第１実施形態は、例えば下水処理施設などの臭気ガスから臭気成分を活性炭によって吸着除去する脱臭装置に関する。
【００２１】
本実施形態の脱臭装置Ａは、図１及び図２に示すように、略矩形箱状の外郭体１と、外郭体１の内部に収容される一つの活性炭カートリッジ２と、外郭体１の天板部１ａと活性炭カートリッジ２との間に設けられた一つの屋根部材３とが主な構成要素とされている。ここで、本発明の脱臭装置Ａに係る外郭体１とは、活性炭カートリッジ２や屋根部材３などを収容可能な空間を画成する、例えばタンクやケーシング、コンクリート壁などを示すものであり、特にその材質や大きさに限定を必要とするものではない。
【００２２】
本実施形態における外郭体１は、例えば耐腐食性に優れた鋼材などで形成されており、その内部に外郭体１の底板部１ｂと平行しつつ対向し、側端部が４つの側壁１ｃに接続されて、外郭体１の内部を２室に区画する仕切り板部１ｄが設けられている。これにより、外郭体１の内部には、下方に下方室４、上方に上方室５が画成されている。また、仕切り板部１ｄには、上方室５側の上面から下方室４側の下面に貫通する活性炭カートリッジ設置孔１ｅが形成されている。さらに、外郭体１には、４つの側壁１ｃの対向する一対の側壁のうち、一方の側壁の仕切り板部１ｄよりも下方に、臭気ガスを下方室４に導入するための導入口６が設けられ、他方の側壁の仕切り板部１ｄよりも上方で、天板部１ａの近傍に、上方室５から外部に脱臭後の処理ガス（処理した臭気ガス）を排出する排気口７が設けられている。ここで、導入口６は、一方の側壁を貫通するように突設した一つの管状部材の内周面によって構成され、排気口７は、他方の側壁を貫通するように突設した一つの管状部材の内周面によって構成されている。また、排気口７の外郭体１の外部に突出した管状部材の先端側には、図示せぬ例えばブロアが接続され、このブロアによって、臭気ガスを導入口６から下方室４に導入し、さらに活性炭カートリッジ設置孔（活性炭カートリッジ２）１ｅを介して上方室５に送られた処理ガスを排気口７から外部に排気することが可能とされている。
【００２３】
一方、外郭体１の天板部１ａは、例えばＦＲＰなどの軽量で高強度、かつ耐腐食性に優れた素材で形成され、外郭体１に対して取り外し可能とされており、本実施形態の脱臭装置Ａにおいては、詳細は後述する活性炭カートリッジ２を交換する際に、この天板部１ａを取り外し、外郭体１の外部に活性炭カートリッジ２を取り出すことが可能とされている。
【００２４】
活性炭カートリッジ２は、筒状の容器内に例えば粒状活性炭が充填されて構成されるとともに、容器の上端部２ａ側は、完全に開口されている一方で、下端部２ｂ側には、収容した粒状活性炭を容器内から落下しないように保持しつつ臭気ガスのみを容器内に流通させる、例えば格子または多孔板等の底板が設置されている。このように形成された活性炭カートリッジ２は、下端部２ｂ側が前記活性炭カートリッジ設置孔１ｅに例えば嵌合されて、仕切り板部１ｄに支持されつつ保持されて外郭体１の内部に収容される。また、このとき、活性炭カートリッジ２は、その下端部２ｂ側に設けられた底板の下方室４側を向く面が、仕切り板部１ｄの下面と略面一となるように設置され、下端部２ｂが下方室４に開口され、上端部２ａが上方室５に開口されている。これにより、下方室４に導入された臭気ガスは、活性炭カートリッジ２の容器内を流通して上方室５に排気される。
【００２５】
屋根部材３は、耐腐食性に優れた鋼材やＦＲＰなどで形成された板状のものであり、上面３ａ側からの対向視で略矩形状に形成され、幅方向（図１において導入口６または排気口７が設けられた外郭体１の一方の側壁及び他方の側壁に平行する方向）の断面視で、図２に示すように、この幅方向中央が上方に凸となる山形形状（切妻形状）を呈するように形成されている。この屋根部材３は、活性炭カートリッジ２の例えば容器の上端部２ａの略四隅に設けられ高さ方向上方に向けて垂直に延びる４本の支持部材８のそれぞれの上端に、該屋根部材３の下面３ｂが接続されて支持されている。これにより、屋根部材３は、活性炭カートリッジ２の直上に配置されて、外郭体１の天板部１ａと活性炭カートリッジ２との間に配置されるとともに、特に本実施形態では、屋根部材３は、このように設けられた状態で、山形形状の頂点部の延長線が水平に延びて、図１に示すように、前記排気口７よりも上方において外郭体１の前記一方の側壁及び前記他方の側壁に直交するように設けられている。また、屋根部材３は、前記延長線方向視で、図２に示すように排気口７と重ならないように設けられ、さらに上面３ａ側からの対向視において、活性炭カートリッジ２の側端部２ｃが、屋根部材３の４つの側端部３ｃよりも内方に位置するように設置されている。
【００２６】
ついで、上記の構成からなる脱臭装置Ａの作用及び効果ついて説明する。
【００２７】
本実施形態の脱臭装置Ａでは、はじめに、排気口７に接続されたブロアを駆動することにより、導入口６から臭気ガスが外郭体１の下方室４に導入される。下方室４に導入された臭気ガスは、下方室４に開口する活性炭カートリッジ２の底板が設けられた下端部２ｂから容器内に導かれ、容器に収容した粒状活性炭と接触しながら流通し、活性炭カートリッジ２の上端部２ａから上方室５に排気され、排気口７を通じて外郭体１の外部に排気されることとなる。このとき、活性炭カートリッジ２の粒状活性炭と接触することによって、臭気ガスの臭気成分が吸着除去され、上方室５に排気された段階では、臭気ガスが脱臭されている。
【００２８】
そして、このように臭気ガスの脱臭を行った場合に外郭体１の内面に結露が発生しても、本実施形態の脱臭装置Ａにおいては、活性炭カートリッジ２と天板部１ａとの間に屋根部材３が設けられているため、天板部１ａから落下した結露の水滴は、屋根部材３の上面３ａに落下することとなる。また、屋根部材３の上面３ａに落下した水滴は、この屋根部材３が山形形状を呈するように形成されていることにより、屋根部材３の傾斜して下方に位置する側端部３ｃ側に流れてゆくことになる。そして、この側端部３ｃが、活性炭カートリッジ２の側端部２ｃよりも外方に延出した形で設けられていることによって、側端部３ｃ側から落下する水滴は、活性炭カートリッジ２よりも外方に落下することになり、活性炭カートリッジ２の活性炭が濡れることがないものとされる。
【００２９】
したがって、上記の構成からなる脱臭装置Ａによれば、外郭体１の天板部１ａと活性炭カートリッジ２の間に屋根部材３が設けられることによって、天板部１ａに発生した結露の水滴が活性炭カートリッジ２に落下することを防止でき、これにより、大掛かりな設備や多大なランニングコストを要することなく、結露に起因して活性炭が湿潤することを容易に、かつ確実に防止し、活性炭の吸着能力が結露によって低下することを防止できる。
【００３０】
また、本実施形態の脱臭装置Ａにおいては、外郭体１の天板部１ａと活性炭カートリッジ２の間に屋根部材３を設けた場合においても、この屋根部材３が支持部材８を介して活性炭カートリッジ２に支持されているため、吸着能力を十分に活用して寿命に達した活性炭を交換する際に、従来と同様に、天板部１ａを取り外し、外郭体１から屋根部材３とともに活性炭カートリッジ２を取り出すことが可能とされる。これにより、活性炭カートリッジ２の交換に対する取扱性を損なうことがないものとされる。なお、この屋根部材３と支持部材８、あるいは支持部材８と活性炭カートリッジ２を着脱可能とすれば、天板部１ａを取り外して屋根部材３や支持部材８を取り外した後に活性炭カートリッジ２を取り外したり、あるいは屋根部材３ごと取り出した活性炭カートリッジ２から屋根部材３や支持部材８を取り外したりして、活性炭カートリッジ２の容器内の活性炭を容易に交換することができる。
【００３１】
以上、本発明に係る脱臭装置の第１実施形態について説明したが、本発明は上記の第１実施形態に限定されるものではなく、その趣旨を逸脱しない範囲で適宜変更可能である。例えば、本実施形態では、屋根部材３が、幅方向の断面視で幅方向中央が上方に凸となる山形形状を呈するように形成されているものとしたが、例えば、断面が上方に凸となる円弧状としたり、また、屋根部材３を平板状に形成して、平行する一対の側端部の一方の側端部を他方の側端部よりも上方に位置させて斜設することにより、上面に落下した水滴を他方の側端部側から落下させるように形成してもよく、屋根部材３は、天板部１ａから上面３ａに落下した水滴を側端部３ｃ側に流下させて、この側端部３ｃ側から活性炭カートリッジ２と接触させないように落下させることができれば、その形状は特に限定を必要とするものではない。
【００３２】
また、本実施形態では、屋根部材３が、活性炭カートリッジ２の容器に接続された支持部材８によって支持されているものとしたが、例えば図３及び図４に示すように、天板部１ａの下面に上端を接続した支持部材１０の下端が屋根部材３の上面３ａに接続されて、屋根部材１０が天板部１ａに支持されていてもよいものである。この場合には、活性炭カートリッジ２を交換する際に、天板部１ａを取り外すとともに屋根部材３を取り除くことができるため、容易に活性炭カートリッジ２を外郭体１の外部に取り出すことができ、活性炭カートリッジ２の交換をより容易に行なうことが可能になる。さらに、例えば図５及び図６に示すように、支持部材１１を外郭体１の側壁１ｃの内面から内方に向けて突出するように設けてもよく、この場合には、この支持部材１１の上面に屋根部材３の側端部３ｃ側を載置することで、屋根部材３を設置することができ、活性炭カートリッジ２を交換する際には、天板部１ａを取り除いた後に、屋根部材３を単独で取り除き、活性炭カートリッジ２の交換を行なうことが可能とされる。
【００３３】
ついで、図７及び図８を参照し、本発明の第２実施形態に係る脱臭装置について説明する。本実施形態の説明においては、第１実施形態に共通する構成について同一符号を付し、その詳細についての説明を省略する。
【００３４】
本実施形態の脱臭装置Ｂは、第１実施形態で示した脱臭装置Ａが、一つの活性炭カートリッジ２と一つの屋根部材３を備えて構成されたのに対して、複数の活性炭カートリッジ２（本実施形態では４つ）と各活性炭カートリッジ２に対応した複数の屋根部材３（本実施形態では４つ）を備えるものとされている。
【００３５】
ここで、本実施形態の外郭体１は、天板部１ａの上面側からの対向視で長方矩形状を呈し、外郭体１の高さ方向に垂直に延びる４つの側壁のうち、互いに対向する一対の第１側壁１ｆが短辺を画成し、互いに対向する残りの一対の第２側壁１ｇが長辺を画成している。また、仕切り板部１ｄは、第１実施形態と同様に、底板部１ｂと平行しつつ対向し、その側端部が４つの側壁１ｆ、１ｇのそれぞれに接続されて、外郭体１の内部に下方室４と上方室５の２室を形成している。また、仕切り板部１ｄには、４つの活性炭カートリッジ設置孔１ｅが設けられ、各活性炭カートリッジ設置孔１ｅは、外郭体１の長辺に沿って、間に僅かな隙間をあけつつ等間隔に並設されている。そして、本実施形態の活性炭カートリッジ２は、この４つの活性炭カートリッジ設置孔１ｅにそれぞれ下端部２ｂ側を、例えば嵌合させて、外郭体１の長辺に沿って等間隔に並設されている。
【００３６】
一方、各活性炭カートリッジ２には、それぞれ４本の支持部材８が設けられ、これらの支持部材８を介して各活性炭カートリッジ２に屋根部材３が支持されている。ここで、各屋根部材３は、山形形状で形成されたそれぞれの屋根部材３の頂点部が、その延長線を前記一対の第１側壁１ｆに直交する方向として設けられているが、本実施形態では、隣り合う屋根部材３同士の高さ方向の位置が異なるように段違いで設置されており、特に高さの高いものと低いものとが交互に配設されていて、図８に示すように、高さの高い屋根部材３は、その頂点部の延長線が排気口７よりも上方にあって排気口７と重ならないようにされ、高さの低い屋根部材３は、その頂点部の延長線が排気口７の略中央に交差するように延びている。さらに、隣り合う屋根部材３同士のうち、下方に配置された屋根部材３は、その４つの側端部３ｃのうち前記延長線方向側の側端部３ｃが、隣り合う活性炭カートリッジ２の前記隙間の直上に位置するように設けられており、また、上方に位置する屋根部材３は、その４つの側端部３ｃのうち前記延長線方向側の側端部３ｃが、下方の屋根部材３の前記延長線方向側の側端部３ｃよりもこの延長線方向に突出するように設置されている。これにより、隣り合う屋根部材３の互いに隣接する側に位置する側端部３ｃ同士は、それぞれ上面３ａ側からの対向視で重なるように設けられている。
【００３７】
ついで、上記の構成からなる脱臭装置Ｂの作用及び効果について説明する。
【００３８】
本実施形態の脱臭装置Ｂは、排気口７に接続されたブロアを駆動するとともに、導入口６から臭気ガスが外郭体１の下方室４に導入される。そして、下方室４に導入された臭気ガスは、下方室４に開口する複数の活性炭カートリッジ２の下端部２ｂからそれぞれの容器内に導かれ、容器に収容した粒状活性炭と接触しながら流通し、臭気ガスの臭気成分が吸着除去される。臭気ガスから臭気成分が除去された処理ガスは、活性炭カートリッジ２の上端部２ａから上方室５に排気され、ブロアの吸引によって排気口７に向けて流通する。このとき、本実施形態では、複数の活性炭カートリッジ２のそれぞれに対応した複数の屋根部材３が、高さ方向の異なる位置に配されて段違いに設置されているため、上方室５を流通する処理ガスは、屋根部材３と活性炭カートリッジ２の間は勿論、隣り合う屋根部材３の高さ方向の隙間から天板部１ａと屋根部材３の間にも流通することになる。このように、複数の屋根部材３が段違いに設置されていることにより、処理ガスが流通する上方室５の内部空間に、屋根部材３の設置に伴い処理ガスが流通しないデッドスペースが形成されることがないものとされている。
【００３９】
このような本実施形態の脱臭装置Ｂにおいて、複数の活性炭カートリッジ２と天板部１ａとの間に、各活性炭カートリッジ２に対応した複数の屋根部材３が設けられているため、天板部１ａに生じた結露が水滴として落下した場合においても、この水滴は、屋根部材３の上面３ａに落下することになる。そして、屋根部材３の上面３ａに落下した水滴は、屋根部材３の傾斜によって４つの側端部３ｃのうち下方に位置する側端部３ｃ側に流れてゆき、活性炭カートリッジ２よりも外方に落下することになる。このため、活性炭カートリッジ２の活性炭が濡れることがないものとされる。また、隣り合う屋根部材３が、高さ方向の異なる位置に配されて、かつ上方の屋根部材３と下方の屋根部材３の隣り合うそれぞれの側端部３ｃ同士が、上面３ａ側からの対向視で重なるように設けられていることにより、上方の屋根部材３に落下した水滴が、この延長線方向側の側端部３ｃ側から下方に落下するような場合においても、下方の屋根部材３の上面３ａに落下して、この下方の屋根部材３を介して活性炭ユニット２に接触しないように仕切り板部１ｄに落下することになる。
【００４０】
さらに、前述のように、複数の屋根部材３を高さ方向の異なる位置に設置することにより、天板部１ａと屋根部材３との間にも確実に処理ガスが流通するため、天板部１ａの内面に生じた結露や下方に配置された屋根部材３の上面３ａに落下した水滴が、流通する処理ガスによって蒸散し、水滴として仕切り板部１ｄに落下する量を低減することも可能になる。
【００４１】
したがって、上記の構成からなる脱臭装置Ｂによれば、複数の活性炭カートリッジ２を具備した場合においても、各活性炭カートリッジ２に対応した複数の屋根部材３を設けることにより、各活性炭カートリッジ２が結露の落下によって濡れることを容易に、かつ確実に防止でき、活性炭の吸着能力が低下することを防止できる。
【００４２】
なお、本発明は、上記の第２実施形態に限定されるものではなく、その趣旨を逸脱しない範囲で適宜変更可能である。例えば、本実施形態では、複数の屋根部材３が、活性炭カートリッジ２の容器に接続された支持部材８によって支持されているものとしたが、第１実施形態と同様に、例えば図９及び図１０に示すように、天板部１ａの下面に上端を接続した支持部材１０の下端が屋根部材３に接続されて、屋根部材１０が天板部１ａに支持されていてもよいものである。この場合には、活性炭カートリッジ２を交換する際に、天板部１ａを取り外すとともに複数の屋根部材３を同時に取り除くことができるため、容易に活性炭カートリッジ２を外郭体１の外部に取り出すことができ、活性炭カートリッジ２の交換をより容易に行なうことが可能になる。また、第１実施形態の図５及び図６に示したように、支持部材１１を外郭体１の側壁の内面から内方に向けて突出するように設けて、この支持部材１１の上面に屋根部材３を載置してもよい。
【００４３】
さらには、複数の活性炭カートリッジ２の個数は限定されるものではなく、また、隣り合う屋根部材３の上下の順番及び高低差についても限定するものではない。
【００４４】
また、本実施形態では、外郭体１の天板部１ａが一枚の連続した板状に形成されているように図示したが、例えば個々の活性炭カートリッジ２の上方に位置する一部の天板部１ａが個別にそれぞれ取り外せるように構成されていてもよく、この場合には、活性炭の吸着能力が低下した個々の活性炭カートリッジ２を、全ての天板部１ａを取り外すことなく、交換を要する活性炭カートリッジ２に対応した一部の天板部１ａのみを取り外して交換することが可能とされ、天板部１ａの取り外し作業をより容易なものにすることができる。
【図面の簡単な説明】
【００４５】
【図１】本発明の第１実施形態に係る脱臭装置の断面図である。
【図２】本発明の第１実施形態に係る脱臭装置の側断面図である。
【図３】本発明の第１実施形態に係る脱臭装置の変形例を示す断面図である。
【図４】図４に示した脱臭装置の側断面図である。
【図５】本発明の第１実施形態に係る脱臭装置の変形例を示す断面図である。
【図６】図５に示した脱臭装置の側断面図である。
【図７】本発明の第２実施形態に係る脱臭装置の断面図である。
【図８】本発明の第２実施形態に係る脱臭装置の側断面図である。
【図９】本発明の第２実施形態に係る脱臭装置の変形例を示す断面図である。
【図１０】図９に示した脱臭装置の側断面図である。
【符号の説明】
【００４６】
１      外郭体
１ａ    天板部
１ｂ    底板部
１ｃ    側壁
１ｄ    仕切り板部
１ｅ    活性炭カートリッジ設置孔
１ｆ    第１側壁
１ｇ    第２側壁
２      活性炭カートリッジ
２ａ    上端部
２ｂ    下端部
２ｃ    側面
３      屋根部材
３ａ    上面
３ｂ    下面
３ｃ    側端部
４      下方室
５      上方室
６      導入口
７      排気口
８      支持部材
１０    支持部材
１１    支持部材
Ａ      脱臭装置
Ｂ      脱臭装置
【図１】
2007111624.tif 000003
【図２】
2007111624.tif 000004
【図３】
2007111624.tif 000005
【図４】
2007111624.tif 000006
【図５】
2007111624.tif 000007
【図６】
2007111624.tif 000008
【図７】
2007111624.tif 000009
【図８】
2007111624.tif 000010
【図９】
2007111624.tif 000011
【図１０】
2007111624.tif 000012